(57)【要約】【課題】島側に固定するための釘打ち作業が容易である遊技機を提供すること。【解決手段】上下一対の横枠板及び左右一対の縦枠板により矩形に形成された外枠と、下側の前記横枠板の上面における少なくとも一部を覆う位置に取り付けられたスピーカ筐体と、前記外枠に開閉可能に取り付けられ、前記外枠の前面部のうち、前記スピーカ筐体よりも上側の領域を覆う内枠と、を備えた遊技機であって、前記スピーカ筐体の位置を、遊技を提供するときの位置である位置Ｘと、前記下側の横枠板における上面のうち、前記スピーカ筐体が覆う領域が前記位置Ｘのときよりも狭い位置Ｙとの間で移動させる移動手段を備えることを特徴とする遊技機。【選択図】図６
2008229264.tif 000002
【特許請求の範囲】
【請求項１】
上下一対の横枠板及び左右一対の縦枠板により矩形に形成された外枠と、
下側の前記横枠板の上面における少なくとも一部を覆う位置に取り付けられたスピーカ筐体と、
前記外枠に開閉可能に取り付けられ、前記外枠の前面部のうち、前記スピーカ筐体よりも上側の領域を覆う内枠と、
を備えた遊技機であって、
前記スピーカ筐体の位置を、遊技を提供するときの位置である位置Ｘと、前記下側の横枠板における上面のうち、前記スピーカ筐体が覆う領域が前記位置Ｘのときよりも狭い位置Ｙとの間で移動させる移動手段を備えることを特徴とする遊技機。
【請求項２】
閉じられた状態にある前記内枠と前記スピーカ筐体との間に、前記移動手段による前記スピーカ筐体の移動を可能にするための隙間が形成されていることを特徴とする請求項１記載の遊技機。
【請求項３】
前記移動手段は、前記スピーカ筐体を、遊技機の前後方向に沿ってスライドさせることを特徴とする請求項１又は２記載の遊技機。
【請求項４】
前記移動手段は、前記スピーカ筐体を、所定の回動軸を中心として回動させることを特徴とする請求項１又は２記載の遊技機。
【請求項５】
前記位置Ｘ及び／又は前記位置Ｙにある前記スピーカ筐体を、その位置で保持する保持手段を備えることを特徴とする請求項１〜４のいずれかに記載の遊技機。
【請求項６】
前記スピーカ筐体は、前記位置Ｘにあるとき、前記下側の横枠板との間に所定の隙間を有することを特徴とする請求項１〜５のいずれかに記載の遊技機。
【発明の詳細な説明】
【技術分野】
【０００１】
本発明は、上下一対の横枠板及び左右一対の縦枠板により矩形に形成された外枠と、下側の横枠板の上面における少なくとも一部を覆う位置に取り付けられたスピーカ筐体と、外枠に開閉可能に取り付けられ、外枠の前面部のうち、スピーカ筐体よりも上側の領域を覆う内枠と備えた遊技機に関する。
【背景技術】
【０００２】
パチンコ機等の遊技機において、木製の外枠の、内枠より下側部の空間は、使用されないことが多かった。そこで、この空間に、スピーカ筐体を取り付ける技術が提案されている（特許文献１参照）。このように、これまで使用されなかった空間を利用することで、スピーカ筐体の容量を増やし、量感のある低音を再生することができる。
【特許文献１】特開２００５―３２３７２７号公報
【発明の開示】
【発明が解決しようとする課題】
【０００３】
遊技機は、外枠のうち、下側の横枠板を島側に、３寸（約５ｃｍ）程度の釘を用いて釘打ちすることで、島側に固定される。しかし、上記のように、外枠の、内枠より下側部の空間（すなわち、下側の横枠板の上面側）にスピーカ筐体を取り付けると、下側の横枠板の上面は、その大部分がスピーカ筐体で覆われ、露出する部分が少ししかなくなってしまう。この状態で、下側の横枠板の上面のうち、スピーカ筐体で覆われず、露出した部分に釘を打とうとすると、スピーカ筐体が邪魔になり、釘打ち作業が非常に困難になってしまう。
【０００４】
本発明は上記の点に鑑みなされたものであり、島側に遊技機を固定するための釘打ち作業が容易である遊技機を提供することを目的とする。
【課題を解決するための手段】
【０００５】
（１）請求項１の発明は、
上下一対の横枠板及び左右一対の縦枠板により矩形に形成された外枠と、
下側の前記横枠板の上面における少なくとも一部を覆う位置に取り付けられたスピーカ筐体と、
前記外枠に開閉可能に取り付けられ、前記外枠の前面部のうち、前記スピーカ筐体よりも上側の領域を覆う内枠と、
を備えた遊技機であって、
前記スピーカ筐体の位置を、遊技を提供するときの位置である位置Ｘと、前記下側の横枠板における上面のうち、前記スピーカ筐体が覆う領域が前記位置Ｘのときよりも狭い位置Ｙとの間で移動させる移動手段を備えることを特徴とする遊技機を要旨とする。
【０００６】
本発明の遊技機では、下側の横枠板の上面から釘をうち、島台に遊技機を固定する作業を行うときは、スピーカ筐体の位置を、位置Ｙにすることができる。このとき、下側の横枠板の上面のうち、スピーカ筐体により覆われる領域は、スピーカ筐体が位置Ｘにあるときの領域よりも狭くなる。つまり、スピーカ筐体の位置を位置Ｙにすることで、下側の横枠板の上面を広く開放し、スピーカ筐体が邪魔になることがなく、釘打ち作業を容易に行うことができる。
（２）請求項２の発明は、
閉じられた状態にある前記内枠と前記スピーカ筐体との間に、前記移動手段による前記スピーカ筐体の移動を可能にするための隙間が形成されていることを特徴とする請求項１記載の遊技機を要旨とする。
【０００７】
本発明の遊技機では、内枠を閉じたまま、スピーカ筐体を位置Ｘから位置Ｙに移動させることができる。つまり、釘打ち作業を行うとき、内枠を開けなくともよいので、釘打ち作業を一層迅速に行うことができる。
（３）請求項３の発明は、
前記移動手段は、前記スピーカ筐体を、遊技機の前後方向に沿ってスライドさせることを特徴とする請求項１又は２記載の遊技機を要旨とする。
【０００８】
本発明の遊技機は、スピーカ筐体をスライドさせる方式を採ることにより、スピーカ筐体を、位置Ｘから位置Ｙに、また、位置Ｙから位置Ｘに、一層容易に移動させることができる。
（４）請求項４の発明は、
前記移動手段は、前記スピーカ筐体を、所定の回動軸を中心として回動させることを特徴とする請求項１又は２記載の遊技機を要旨とする。
【０００９】
本発明の遊技機は、スピーカ筐体を回動させる方式を採ることにより、スピーカ筐体を、位置Ｘから位置Ｙに、また、位置Ｙから位置Ｘに、一層容易に移動させることができる。
【００１０】
（５）請求項５の発明は、
前記位置Ｘ及び／又は前記位置Ｙにある前記スピーカ筐体を、その位置で保持する保持手段を備えることを特徴とする請求項１〜４のいずれかに記載の遊技機を要旨とする。
【００１１】
本発明の遊技機は、保持手段を備えることにより、スピーカ筐体が不必要に移動してしまうことがない。例えば、保持手段が、スピーカ筐体を位置Ｘにて保持するものである場合は、遊技中に遊技者がスピーカ筐体を動かしてしまうことを防止できる。また、保持手段が、スピーカ筐体を位置Ｙにて保持するものである場合は、釘打ち作業中に、スピーカ筐体が位置Ｙから位置Ｘに移動してしまうことを防止できる。
（６）請求項６の発明は、
前記スピーカ筐体は、前記位置Ｘにあるとき、前記下側の横枠板との間に所定の隙間を有することを特徴とする請求項１〜５のいずれかに記載の遊技機を要旨とする。
【００１２】
本発明の遊技機は、スピーカ筐体が位置Ｘにあるとき、スピーカ筐体と下側の横枠板との間に隙間があるので、釘を打った場所が、位置Ｘにあるスピーカ筐体と重なる場所であっても、釘の頭がスピーカ筐体に当たってしまうようなことがない。
【００１３】
また、スピーカ筐体を移動手段により移動させるとき、がたつきなどにより、スピーカ筐体の位置が上下方向に変動したとしても、隙間が有ることにより、スピーカ筐体と下側の横枠板とが接触することがない。その結果、スピーカ筐体を一層スムーズに移動させることができる。
【発明を実施するための最良の形態】
【００１４】
本発明を実施例に基づいて説明する。
【実施例１】
【００１５】
ａ）遊技機の全体構成
まず、本発明に係る遊技機１の全体構成を図１及び図２に基づいて説明する。
遊技機１は、外枠３と、内枠５と、スピーカユニット７とを備えている。
【００１６】
上記外枠３は、矩形に形成された木製の部材であり、上側の横枠板３ａ、下側の横枠板３ｂ、右側の縦枠板３ｃ、及び左側の縦枠板３ｄから構成される。
上記内枠５は、ヒンジ９を介して、外枠３に対して開閉自在に取り付けられている。内枠５は、外枠３に対して閉じられた状態のとき、外枠３の前面側のうち、外枠３の下端から、一定の高さまでの領域（以下、「スピーカ領域１１」とする）を除く部分を覆う。内枠５には、遊技盤６など、通常の遊技機が備える各種部材が取り付けられている。
【００１７】
上記スピーカユニット７は、上記スピーカ領域１１に配置され、そのスピーカ領域１１において、外枠３の前面側を覆っている。
ｂ）スピーカ筐体及びその周辺部の構成
次に、スピーカユニット７及びその周辺部の詳細な構成を図３〜図６に基づいて説明する。
【００１８】
スピーカユニット７は、前蓋部材１３と、２つのスピーカ１５とから構成される。この前蓋部材１３は、板状の部材であり、上記スピーカ領域１１において、外枠３の前面側を覆っている。また、この前蓋部材１３には、２箇所の開口部１３ａが設けられている。
【００１９】
スピーカ１５は、略直方体のスピーカ筐体１５ａと、その中に収容されたスピーカ本体１５ｂとから構成される。スピーカ筐体１５ａの一面には開口部１６が形成されており、スピーカ本体１５ｂはその開口部１６において、スピーカ筐体１５ａの内面に取り付けられている。
【００２０】
２つのスピーカ筐体１５ａは、それぞれ、開口部１６が前方を向くようにして、回動軸１７を介して、下側の横枠板３ｂの上面に取り付けられる。この回動軸１７は、下側の横枠板３ｂの上面に、遊技機１の前後方向に沿うように配置されており、略直方体のスピーカ筐体１５ａを構成する辺のうち、前後方向に伸びる辺１９と、下側の横枠板３ｂの上面とを接続している。
【００２１】
よって、スピーカ筐体１５ａは、下側の横枠板３ｂの上方において、回動軸１７（辺１９）を中心として回動することができ、前方から見たとき、図６に示すように、スピーカ筐体１５ａの長辺１８が水平になる位置（以下、「位置Ｘ」とする）と、スピーカ筐体１５ａの長辺１８が鉛直になる位置（以下、「位置Ｙ」とする）とのうちのいずれにも位置することができる。
【００２２】
上記位置Ｘは、遊技機１が遊技を提供するときにおけるスピーカ筐体１５ａの位置である。このとき、図５に示すように、スピーカ筐体１５ａの開口部１６と、前蓋部材１３の開口部１３ａとは、前方から見て、重なるようになっている。そのため、スピーカ筐体１５ａ中のスピーカ本体１５ｂから出力された音声は、開口部１６及び開口部１３ｂを経て、前方へ広がる。
【００２３】
ｃ）遊技機１が奏する効果
本実施例１の遊技機１では、下側の横枠板３ｂの上面から釘をうち、島台２１（図６参照）に遊技機１を固定する作業を行うときは、スピーカ筐体１５ａの位置を、上記位置Ｙにすることができる。このとき、下側の横枠板３ｂの上面のうち、スピーカ筐体１５ａにより覆われる領域の、左右方向における幅は、スピーカ筐体１５ａの短辺２２の長さだけであり、スピーカ筐体１５ａが位置Ｘにあるときにスピーカ筐体１５ａにより覆われる領域の幅（スピーカ筐体１５ａの長辺１８の長さ）よりも小さくなる。
【００２４】
つまり、スピーカ筐体１５ａの位置を位置Ｙにすれば、下側の横枠板３ｂの上面は広く開放されるので、スピーカ筐体１５ａが邪魔になることがなく、釘打ち作業を容易に行うことができる。
【００２５】
また、釘打ち作業が終了したときは、スピーカ筐体１５ａを回動させ、位置Ｘに戻すだけでよいので、作業が非常に簡単である。
【実施例２】
【００２６】
本実施例２の遊技機１の構成は、基本的には前記実施例１と同様であるが、スピーカユニット７の構成において相違する。以下では、図７〜図１０に基づき、この相違点を中心に説明する。
【００２７】
本実施例２では、前蓋部材１３は、ヒンジ２３を介して外枠３に対して横開き可能に取り付けられている。この前蓋部材１３には、２箇所の開口部１３ａが設けられている。そして、２つのスピーカ筐体１５ａは、それぞれ、前蓋部材１３の背面側から、開口部１３ａの位置に固定されている。ここで、図９に示すように、スピーカ筐体１５ａは、開口部１６が、前蓋部材１３の開口部１３ａに重なるように取り付けられる。なお、スピーカ筐体１５ａ及びその中に収容されたスピーカ本体１５ｂの構成は前記実施例１と同じである。
【００２８】
本実施例２では、図９及び図１０の点線に示すように、前蓋部材１３を外枠３に対して閉じたときにおけるスピーカ筐体１５ａの位置が、位置Ｘである。このとき、スピーカ筐体１５ａの開口部１６は前方に向いているので、前方に向けて音声を放出することができる。
【００２９】
また、図１０における実線で示すように、前蓋部材１３を外枠３に対し、約９０度開いたときにおけるスピーカ筐体１５ａの位置が、位置Ｙである。このとき、下側の横枠板３ｂの上方には、スピーカ筐体１５ａが存在せず、広く開放されるので、スピーカ筐体１５ａが邪魔になることがなく、釘打ち作業を容易に行うことができる。また、釘打ち作業が終了したときは、前蓋部材１３及びスピーカ筐体１５ａを回動させ、位置Ｘに戻すだけでよいので、作業が非常に簡単である。
【実施例３】
【００３０】
本実施例３の遊技機１の構成は、基本的には前記実施例１と同様であるが、スピーカユニット７の構成において相違する。以下では、図１１〜図１２に基づき、この相違点を中心に説明する。
【００３１】
本実施例３では、前蓋部材１３は、蝶番２５を介して外枠３に対して縦開き可能に取り付けられている。この蝶番２５は、下側の横枠板３ｂの前側における下端付近に、その回転軸２５ａが水平方向となるように取り付けられており、一方の接続片２５ｂが、下側の横枠板３ｂの下面における前端付近に取り付けられ、他方の接続片２５ｃが、前蓋部材１３の前面側における下端付近に取り付けられている。
【００３２】
そして、２つのスピーカ筐体１５ａは、それぞれ、前蓋部材１３の背面側から、前蓋部材１３に設けられた２つの開口部１３ａの位置に固定されている。このとき、図１１に示すように、スピーカ筐体１５ａは、その開口部１６が、前蓋部材１３の開口部１３ａに重なるように取り付けられる。スピーカ筐体１５ａの下面における奥側には、下方に向けて突出する板状部材である係合部２７が形成されている。また、スピーカ筐体１５ａの上面における前端には、上方に向けて突出する板状部材である内枠係合部２９が形成されている。
【００３３】
上記の構成により、図１２に示すように、前蓋部材１３及びスピーカ筐体１５ａは、一体となり、蝶番２５の回転軸２５ａを中心として、回動することができる。図１１、及び図１２の点線に示すように、前蓋部材１３が鉛直となり、前蓋部材１３の前面が内枠５の前面と同一平面となったときのスピーカ筐体１５ａの位置が、位置Ｘである。このとき、スピーカ筐体１５ａの開口部１６は前方に向いているので、前方に向けて音声を放出することができる。また、スピーカ筐体１５ａが位置Ｘにあるとき、係合部２７は、下側の横枠板３ｂの上面に設けられた係止手段３１により係止される。すなわち、係止手段３１は、その上面に形成された溝３１ａに係合部２７を嵌入させることにより、係合部２７（さらにはスピーカ筐体１５ａ）を固定する。また、スピーカ筐体１５ａが位置Ｘにあるとき、内枠５は、前方から内枠係合部２９に当接することにより、スピーカ筐体１５ａをその位置に固定する。
【００３４】
一方、図１２の実線に示すように、前蓋部材１３及びスピーカ筐体１５ａを前方に回動し、前蓋部材１３が略水平となったときにおけるスピーカ筐体１５ａの位置が、位置Ｙである。このとき、下側の横枠板３ｂの上方には、スピーカ筐体１５ａが存在せず、広く開放されるので、スピーカ筐体１５ａが邪魔になることがなく、釘打ち作業を容易に行うことができる。また、釘打ち作業が終了したときは、前蓋部材１３及びスピーカ筐体１５ａを回動させ、位置Ｘに戻すだけでよいので、作業が非常に簡単である。なお、釘打ち作業が行われる際に内枠５が外枠３から取り外されている場合は、そのまま前蓋部材１３及びスピーカ筐体１５ａを回動させることができるが、内枠５が外枠３に取り付けられている場合は、前もって内枠５を開放し、内枠係合部２９が内枠５に当たらないようにしてから、前蓋部材１３及びスピーカ筐体１５ａを回動させる。
【００３５】
本実施例３では、図１１に示すように、スピーカ筐体１５ａが位置Ｘにあるときでも、スピーカ筐体１５ａと下側の横枠板３ｂとの間に、隙間３２が形成される。この隙間３２は、下側の横枠板３ｂの上から打った釘の頭がスピーカ筐体１５ａの下面に達しないようにするために十分な高さを有する。例えば、下側の横枠板３ｂの上面に露出する釘の頭の高さは通常、０〜０．５ｍｍであるので、隙間３２の高さはこれ以上である。この隙間３２を有することにより、下側の横枠板３ｂの上面において釘を打った場所が、スピーカ筐体１５ａを位置Ｘに戻したとき、スピーカ筐体１５ａによって上方を覆われる領域であっても、釘の頭がスピーカ筐体１５ａに当たってしまうようなことがない。
【実施例４】
【００３６】
本実施例４の遊技機１の構成は、基本的には前記実施例１と同様であるが、スピーカユニット７の構成において相違する。以下では、図１３〜図１６に基づき、この相違点を中心に説明する。
【００３７】
本実施例４におけるスピーカユニット７は、スピーカ筐体１５ａとして、左右方向に長く広がる略直方体の部材を１つだけ備えており、このスピーカ筐体１５ａが、前蓋部材１３の背面側に取り付けられている。スピーカ筐体１５ａは、前面側に２箇所の開口部１６を有しており、それら２箇所の開口部１６は、前蓋部材１３における２箇所の開口部１３ａと重なっており、スピーカ本体１５ｂから出力された音声は、開口部１６及び開口部１３ｂを経て、前方へ広がる。前蓋部材１３は、スピーカ筐体１５ａの下端よりも下方に延びる外枠当接部１３ｂを備えている。また、スピーカ筐体１５ａの上面における前端には、上方に向けて突出する板状部材である内枠係合部２９が形成されている。
【００３８】
本実施例４では、下側の横枠板３ｂの上面に、３個のスライドガイド部材３３を備えている。これら３個のスライドガイド部材３３は、長手方向が遊技機１の前後方向に沿うように配置されたレール状の部材であり、左右方向においては、等間隔に配置されている。スライドガイド部材３３の断面形状は、図１５に示すように、水平に配置された板状部材である底面部３３ａと、底面部３３ａの左右両端から、それぞれ上方に立設された一対の側面部３３ｂと、一対の側面部３３ｂの上端付近から、それぞれ、内側に突出する一対の突出部３３ｃとから構成される。
【００３９】
一方、スピーカ筐体１５ａの下面には、３個のスライドガイド部材３３における側面部３３ｂの上半分、及び突出部３３ｃをはめ込むことができるように、それらの形状に応じた溝３５が、前後方向に沿って、３本形成されている。よって、この溝３５にスライドガイド部材３３をはめ込み、スピーカ筐体１５ａをスライドガイド部材３３に対し、前後方向に摺動させることで、スピーカ筐体１５ａを前後方向に移動させることができる。
【００４０】
スピーカ筐体１５ａの位置を、図１６において実線で表す位置（位置Ｘ）としたとき、前蓋部材１３の前面は、内枠５の前面と同一平面となる。このとき、スピーカ筐体１５ａの外枠当接部１３ｂが、下側の横枠板３ｂの前面に当接するので、スピーカ筐体１５ａはそれ以上背面側へスライドすることはない。また、このとき、内枠係合部２９の前側に、内枠５が当接するので、スピーカ筐体１５ａの前方へのスライドは制限される。よって、スピーカ筐体１５ａは、この位置Ｘに保持される。
【００４１】
内枠５を開放し、内枠係合部２９の前側から内枠５を除けば、スピーカ筐体１５ａは、前方にスライド可能であり、図１６において点線で表す位置（位置Ｙ）に移動することができる。このとき、下側の横枠板３ｂの上面のうち、スピーカ筐体１５ａにより覆われる領域Ｗ（図１６参照）は、スピーカ筐体１５ａが位置Ｘにあるときにスピーカ筐体１５ａにより覆われる領域Ｚ（図１６参照）よりも小さくなる。つまり、スピーカ筐体１５ａの位置を位置Ｙにすれば、下側の横枠板３ｂの上面は広く開放されるので、スピーカ筐体１５ａが邪魔になることがなく、釘打ち作業を容易に行うことができる。また、釘打ち作業が終了したときは、スピーカ筐体１５ａをスライドさせ、位置Ｘに戻すだけでよいので、作業が非常に簡単である。
【００４２】
また、本実施例４では、図１５、図１６に示すように、スピーカ筐体１５ａは、スライドガイド部材３３によって、下側の横枠板３ｂの上面から浮いた状態で取り付けられているので、スピーカ筐体１５ａが位置Ｘにあるときでも、スピーカ筐体１５ａと下側の横枠板３ｂとの間に、隙間３２が形成される。この隙間３２は、下側の横枠板３ｂの上から打った釘の頭がスピーカ筐体１５ａの下面に達しないようにするために十分な高さを有する。例えば、下側の横枠板３ｂの上面に露出する釘の頭の高さは通常、０〜０．５ｍｍであるので、隙間３２の高さはこれ以上である。この隙間３２を有することにより、下側の横枠板３ｂの上面において釘を打った場所が、スピーカ筐体１５ａを位置Ｘに戻したとき、スピーカ筐体１５ａによって上方を覆われる領域であっても、釘の頭がスピーカ筐体１５ａに当たってしまうようなことがない。
【００４３】
また、スライドガイド部材３３と溝３５との間にがたつきがあり、スピーカ筐体１５ａをスライドさせるときに、スピーカ筐体１５ａの位置が上下方向に変動したとしても、隙間３２が有ることにより、スピーカ筐体１５ａと下側の横枠板３ｂとが接触することがない。その結果、スピーカ筐体１５ａを一層スムーズにスライドさせることができる。
【実施例５】
【００４４】
本実施例５の遊技機１の構成は、基本的には前記実施例４と同様であるが、スピーカユニット７をスライドさせる機構において相違する。以下では、図１７〜図２０に基づき、この相違点を中心に説明する。
【００４５】
本実施例５では、下側の横枠板３ｂの上面における左右両端に、一対のスライドガイド部材３７を備えている。このスライドガイド部材３７は、長手方向が遊技機１の前後方向に沿うように配置されたレール状の部材である。スライドガイド部材３７の断面形状は、図１９に示すように、鉛直方向に配置された板状部材である基部３７ａと、基部３７ａから外枠３の内側に向け、水平方向に突出する３枚の板状部材である水平板３７ｂ、３７ｃ、３７ｄとを備えるものである。スライドガイド部材３７は、図２０に示すように、基部３７ａにおいて、螺着部材３６により、縦枠板３ｃ又は３ｄに接合され、最も下側の水平板３７ｄが、下側の横枠板３ｂの上面に当接している。
【００４６】
一方、スピーカ筐体１５ａの左右の側面にはそれぞれ、前後方向に沿って延びる溝４０が形成されており、この溝４０に、スライドガイド部材３７の水平板３７ｃ（３枚の水平板のうち、中間のもの）をはめ込み、また、スピーカ筐体１５ａ側面のうち、溝４０よりも上側の部分を水平板３７ｂと水平板３７ｃとの間にはめ込み、さらに、スピーカ筐体１５ａ側面のうち、溝４０よりも下側の部分を水平板３７ｃと水平板３７ｄとの間にはめ込むことができる。上記のように、スピーカ筐体１５ａの側面をスライドガイド部材３７にはめ込んだ状態で、スピーカ筐体１５ａをスライドガイド部材３７に対し、前後方向に摺動させることで、スピーカ筐体１５ａを前後方向に移動させることができる。
【００４７】
スピーカ筐体１５ａの上面のうち、スライドガイド部材３７の水平板３７ｂに対向する位置には、図２０に示す係止手段３９が形成されている。この係止手段３９は、弾性を有する材料から成り、スピーカ筐体１５ａの上面から、斜め前方に延びる形状を有する板状部材であり、前方にゆくにつれて徐々に下方に向けて屈曲するものである。一方、水平板３７ｂの下面は、一定の範囲にわたって、所定の深さで切りかかれた切り欠き部３８が形成されており、その切り欠き部３８の中には、下方に突出する部分であるストッパ４１、４３が、それぞれ設けられている。ストッパ４１、４３は、それぞれ、三角形の断面を有し、ストッパ４１は、水平板３７ｂの下面のうち、背面寄りに形成され、ストッパ４３は前方寄りに形成されている。
【００４８】
スピーカ筐体１５ａの位置を、図２０において実線で表す位置（位置Ｘ）としたとき、前蓋部材１３の前面は、内枠５の前面と同一平面となる。このとき、係止手段３９は、切り欠き部３８の後端３８ａと、ストッパ４１とにより挟まれた位置にある。そのため、スピーカ筐体１５ａが前方又は後方にスライドしようとしても、係止手段３９がストッパ４１又は後端３８ａに引っかかるため、スピーカ筐体１５ａは位置Ｘに保持される。なお、スピーカ筐体１５ａに、一定以上の前向きの力を加えると、ストッパ４１から加えられる斜め下方向の力を受け、係止手段３９は下側に屈曲するので、係止手段３９はストッパ４１を乗り越え、結果として、スピーカ筐体１５ａは前方にスライドすることができる。
【００４９】
また、スピーカ筐体１５ａの位置を、図２０において点線で表す位置（位置Ｙ）としたとき、係止手段３９は、ストッパ４３と、切り欠き部３８の前端３８ｂとにより挟まれた位置にある。そのため、スピーカ筐体１５ａが前方又は後方にスライドしようとしても、係止手段３９がストッパ４３又は前端３８ｂに引っかかるため、スピーカ筐体１５ａは位置Ｙに保持される。なお、スピーカ筐体１５ａに、一定以上の背面向きの力を加えると、ストッパ４３から加えられる斜め下方向の力を受け、係止手段３９は下側に屈曲するので、係止手段３９はストッパ４３を乗り越え、結果として、スピーカ筐体１５ａは後方にスライドすることができる。
【００５０】
なお、前記実施例４と同様に、外枠当接部１３ｂ、及び内枠係合部２９も、スピーカ筐体１５ａを位置Ｘに保持する機能を奏する。
本実施例５でも、スピーカ筐体１５ａを位置Ｙにスライドさせれば、下側の横枠板３ｂの上面のうち、スピーカ筐体１５ａにより覆われる領域は、スピーカ筐体１５ａが位置Ｘにあるときにスピーカ筐体１５ａにより覆われる領域よりも小さくなる。つまり、スピーカ筐体１５ａの位置を位置Ｙにすれば、下側の横枠板３ｂの上面は広く開放されるので、スピーカ筐体１５ａが邪魔になることがなく、釘打ち作業を容易に行うことができる。また、釘打ち作業が終了したときは、スピーカ筐体１５ａをスライドさせ、位置Ｘに戻すだけでよいので、作業が非常に簡単である。
【００５１】
また、本実施例５でも、図１９、図２０に示すように、スピーカ筐体１５ａが位置Ｘにあるときでも、スピーカ筐体１５ａと下側の横枠板３ｂとの間に、隙間３２が形成される。この隙間は、下側の横枠板３ｂの上から打った釘の頭がスピーカ筐体１５ａの下面に達しないようにするために十分な隙間である。従って、スピーカ筐体１５ａの位置を位置Ｙとして釘を打った場所が、スピーカ筐体１５ａを位置Ｘに戻したとき、スピーカ筐体１５ａによって覆われる領域であっても、釘の頭がスピーカ筐体１５ａに当たってしまうようなことがない。
【００５２】
また、スライドガイド部材３７とスピーカ筐体１５ａとの間にがたつきがあり、スピーカ筐体１５ａをスライドさせるときに、スピーカ筐体１５ａの位置が上下方向に変動したとしても、隙間３２が有ることにより、スピーカ筐体１５ａと下側の横枠板３ｂとが接触することがない。その結果、スピーカ筐体１５ａを一層スムーズにスライドさせることができる。
【００５３】
また、本実施例５では、上述したとおり、スピーカ筐体１５ａを位置Ｙ（スピーカ筐体１５ａが前方に引き出された状態）にて保持することができる。この状態にて、遊技機１を床上に立てると、下側の横枠板３ｂとスピーカ筐体１５ａとの両方が床に接地し、非常に安定する。そのため、例えば、遊技機１を島台に取り付ける作業などにおいて、遊技機１を一時的に床上に立てておく必要がある場合に、スピーカ筐体１５ａを位置Ｙにて保持しておけば、遊技機１の転倒を防止できる。
【００５４】
尚、本発明は前記実施の形態になんら限定されるものではなく、本発明を逸脱しない範囲において種々の態様で実施しうることはいうまでもない。
例えば、前記実施例３において、図２１に示すように、スピーカ筐体１５ａの上面に内枠係合部２９（図１１、図１２参照）を設けず、また、スピーカ筐体１５ａと、外枠３に対し閉じられた内枠５との間に、隙間４５を設け、内枠５を閉じたまま、前蓋部材１３及びスピーカ筐体１５ａを手前に回動できるようにしてもよい。こうすることにより、内枠５を閉じたまま、前蓋部材１３及びスピーカ筐体１５ａを手前に回動し、釘打ち作業を行うことができる。
【図面の簡単な説明】
【００５５】
【図１】内枠５を閉じた状態における遊技機１の斜視図である。
【図２】内枠５を開放した状態における遊技機１の斜視図である。
【図３】外枠３及びスピーカユニット７の構成を表す正面図である。
【図４】図３のＡ−Ａ断面における断面図である。
【図５】図３のＢ−Ｂ断面における断面図である。
【図６】図４のＣ−Ｃ断面における断面図である。
【図７】外枠３及びスピーカユニット７の構成を表す正面図である。
【図８】図７のＡ−Ａ断面における断面図である。
【図９】図７のＢ−Ｂ断面における断面図である。
【図１０】図７のＢ−Ｂ断面における断面図である。
【図１１】スピーカユニット７及びその周辺を表す側断面図である。
【図１２】スピーカユニット７及びその周辺を表す側断面図である。
【図１３】外枠３及びスピーカユニット７の構成を表す正面図である。
【図１４】図１３のＡ−Ａ断面における断面図である。
【図１５】図１４のＢ−Ｂ断面における断面図である。
【図１６】図１３のＡ−Ａ断面のうち、スピーカユニット７周辺の部分における拡大断面図である。
【図１７】外枠３及びスピーカユニット７の構成を表す正面図である。
【図１８】図１７のＡ−Ａ断面における断面図である。
【図１９】図１８のＢ−Ｂ断面における断面図である。
【図２０】図１７のＡ−Ａ断面のうち、スピーカユニット７周辺の部分における拡大断面図である。
【図２１】変形例における外枠３及びスピーカユニット７の構成を表す側面図である。
【符号の説明】
【００５６】
１・・・遊技機    ３・・・外枠    ３ｂ・・・下側の横枠板
５・・・内枠    ６・・・遊技盤    ７・・・スピーカユニット    ９・・・ヒンジ
１１・・・スピーカ領域    １３・・・前蓋部材    １３ａ・・・開口部
１５・・・スピーカ    １５ａ・・・スピーカ筐体    １５ｂ・・・スピーカ本体
１６・・・開口部    １７・・・回動軸    １８・・・長辺
１９・・・前後方向に伸びる辺    ２２・・・短辺    ２３・・・ヒンジ
２５・・・蝶番    ２５ａ・・・回転軸    ２７・・・係合部
２９・・・内枠係合部    ３１・・・係止手段    ３１ａ、３５、４０・・・溝
３２、４５・・・隙間    ３３、３７・・・スライドガイド部材    ３３ａ・・・底面部    ３３ｂ・・・側面部    ３３ｃ・・・突出部    ３６・・・螺着部材
３８・・・切り欠き部    ３８ａ・・・後端    ３８ｂ・・・前端
４１、４３・・・ストッパ
【図１】
2008229264.tif 000003
【図２】
2008229264.tif 000004
【図３】
2008229264.tif 000005
【図４】
2008229264.tif 000006
【図５】
2008229264.tif 000007
【図６】
2008229264.tif 000008
【図７】
2008229264.tif 000009
【図８】
2008229264.tif 000010
【図９】
2008229264.tif 000011
【図１０】
2008229264.tif 000012
【図１１】
2008229264.tif 000013
【図１２】
2008229264.tif 000014
【図１３】
2008229264.tif 000015
【図１４】
2008229264.tif 000016
【図１５】
2008229264.tif 000017
【図１６】
2008229264.tif 000018
【図１７】
2008229264.tif 000019
【図１８】
2008229264.tif 000020
【図１９】
2008229264.tif 000021
【図２０】
2008229264.tif 000022
【図２１】
2008229264.tif 000023